(57)【要約】【課題】多孔質系の消臭材料である物理吸着剤の性能を十分に発揮しつつ、光触媒の効果により経時的にその吸着能力が回復することで、消臭性能を発揮し続ける消臭製品を提供することである。【解決手段】消臭性能を有する袋状包装体であって、物理吸着剤を、光触媒と化学吸着剤とを含む生地で包んだ、袋状包装体。【選択図】図２
2019208969.tif 000002
【特許請求の範囲】
【請求項１】
消臭性能を有する袋状包装体であって、物理吸着剤を、光触媒と化学吸着剤とを含む生地で包んだ、袋状包装体。
【請求項２】
前記物理吸着剤が珪藻土、粘土鉱物、活性炭、ゼオライト、シリカゲル、活性アルミナの少なくとも１つから選択されることを特徴とする、請求項１に記載の袋状包装体。
【請求項３】
前記生地が光触媒と化学吸着剤とを練り込んだ熱可塑性樹脂からなる不織布であることを特徴とする、請求項１または請求項２に記載の袋状包装体。
【請求項４】
前記熱可塑性樹脂がポリプロピレンであることを特徴とする、請求項３に記載の袋状包装体。
【請求項５】
前記光触媒が硫化物半導体または酸化物半導体であることを特徴とする、請求項１〜請求項４のいずれか一項に記載の袋状包装体。
【請求項６】
前記化学吸着剤が４価金属のリン酸塩、２価金属の水酸化物、２価金属の酸化物の少なくとも１つから選択されることを特徴とする、請求項１〜請求項５のいずれか一項に記載の袋状包装体。
【請求項７】
前記生地の通気度が、１５ｃｍ３／ｃｍ２／ｓｅｃ以上であることを特徴とする、請求項１〜請求項６のいずれか一項に記載の袋状包装体。
【発明の詳細な説明】
【技術分野】
【０００１】
本発明は、家庭環境などで使用する消臭製品に関するものである。
【背景技術】
【０００２】
快適な家庭環境のために、種々の消臭性能を持つ製品が提案されている。例えば、物理的な吸着性能に優れた多孔質系の消臭材料として、珪藻土、粘土鉱物、活性炭、ゼオライト、シリカゲル、活性アルミナなどが利用されている。また、化学的な吸着性能に優れた消臭材料として、アルカリ性の臭気を化学吸着する酸性の化合物や、酸性の臭気を化学吸着するアルカリ性の化合物、アルカリ性および酸性の両方の臭気に化学吸着する両性物質などが利用されている。さらに、光触媒効果により臭気分子を酸化分解する光触媒性能を有する物質も広く利用されている。
【０００３】
しかしながら、物理的な吸着や化学的な吸着の方式では、一定以上の臭気を吸着すると飽和状態になり、それ以上の臭気を吸着することができなくなる問題があった。そこで、物理吸着剤と光触媒、もしくは化学吸着剤と光触媒、さらには物理吸着剤と化学吸着剤と光触媒とを組み合わせて、物理的かつ／または化学的に吸着した臭気分子を光触媒効果で酸化分解することにより、物理的吸着性能かつ／または化学的吸着性能を回復させて、持続的な消臭性能を有する消臭材料が提案されている（例えば、特許文献１、２）。
【０００４】
多孔質系の物理吸着剤に光触媒を組み合わせる事例では、多孔質の微細な表面に酸化チタンなどの光触媒の微粒子を担持させることにより、物理吸着効果と光触媒効果の相乗効果を発揮するとされている。しかし、特許文献１では、多孔質の表面を光触媒等で覆うため、本来の物理吸着剤自体の吸着能力が発揮されにくく、消臭性能が低下する問題があった。また、特許文献２についても、多孔質の表面を光触媒やバインダー等で覆うため、本来の物理吸着剤自体の吸着能力が発揮されにくく、消臭性能が低下する問題があった。
【先行技術文献】
【特許文献】
【０００５】
【特許文献１】特開２０１６−２２１４４７号公報
【特許文献２】特開平１１−１３７６５６号公報
【発明の概要】
【発明が解決しようとする課題】
【０００６】
本発明の目的は、多孔質系の消臭材料である物理吸着剤の性能を十分に発揮しつつ、光触媒の効果により経時的にその吸着能力が回復することで、消臭性能を発揮し続ける消臭製品を提供することである。
【課題を解決するための手段】
【０００７】
本発明者らは上記課題を解決するために検討した結果、物理的な吸着性能に優れた多孔質系の消臭材料である物理吸着剤を、光触媒と化学吸着剤とを含む生地で包んだ包装体とすることで、物理吸着剤の性能を十分に発揮しつつ、光触媒の効果により経時的にその吸着能力が回復することで、消臭性能を発揮し続けることを見出し、本発明を完成した。すなわち、本発明は、以下の好適な態様を提供するものである。
【０００８】
［１］消臭性能を有する袋状包装体であって、物理吸着剤を、光触媒と化学吸着剤とを含む生地で包んだ、袋状包装体。
［２］前記物理吸着剤が珪藻土、粘土鉱物、活性炭、ゼオライト、シリカゲル、活性アルミナの少なくとも１つから選択されることを特徴とする、前記［１］に記載の袋状包装体。
［３］前記生地が光触媒と化学吸着剤とを練り込んだ熱可塑性樹脂からなる不織布であることを特徴とする、前記［１］または［２］に記載の袋状包装体。
［４］前記熱可塑性樹脂がポリプロピレンであることを特徴とする、前記［３］に記載の袋状包装体。
［５］前記光触媒が硫化物半導体または酸化物半導体であることを特徴とする、前記［１］〜［４］に記載の袋状包装体。
［６］前記化学吸着剤が４価金属のリン酸塩、２価金属の水酸化物、２価金属の酸化物の少なくとも１つから選択されることを特徴とする、前記［１］〜［５］に記載の袋状包装体。
［７］  前記生地の通気度が、１５ｃｍ３／ｃｍ２／ｓｅｃ以上であることを特徴とする、前記［１］〜［６］に記載の袋状包装体。
【発明の効果】
【０００９】
本発明によれば、多孔質系の消臭材料である物理吸着剤の性能を十分に発揮しつつ、光触媒の効果により経時的にその吸着能力が回復することで、消臭性能を発揮し続ける消臭製品を提供することができる。
【図面の簡単な説明】
【００１０】
【図１】図１は、本発明の実施形態に係る袋状包装体を示す平面図である。
【図２】図２は、本発明の実施形態に係る袋状包装体を示す断面図であり、図１におけるＡ−Ａ面の断面図である。
【発明を実施するための形態】
【００１１】
以下、本発明の実施の形態について詳細に説明する。なお、本発明の範囲はここで説明する実施の形態に限定されるものではなく、本発明の趣旨を損なわない範囲で種々の変更をすることができる。
【００１２】
本発明の消臭性能を有する袋状包装体は、物理吸着剤を、光触媒と化学吸着剤とを含む生地で包んだ構造であり、このような構造にすることによって、多孔質系の消臭材料である物理吸着剤の性能を十分に発揮しつつ、光触媒の効果により経時的にその吸着能力が回復し、消臭性能を発揮し続けることができる。
【００１３】
本発明の物理吸着剤として、多孔質系の消臭材料を使用することが重要である。多孔質系の消臭材料としては、珪藻土、粘土鉱物、活性炭、ゼオライト、シリカゲル、活性アルミナなどを挙げることができる。これら多孔質系の消臭材料は、単体で良好な吸着性能を有しており、種々の臭気成分や水を、素早く大量に吸着することができる。これらのうち１種のみを単独で用いてもよく、また２種以上の複数種を組み合わせて用いてもよい。
【００１４】
しかし、物理吸着剤の吸着能力には限界があり、連続して発生する臭気や水分の存在下では飽和状態に達し、一定量以上吸着できないため、本発明では、上記の物理吸着剤を、光触媒と化学吸着剤とを含む生地で包むことが重要である。上記の生地に含まれる化学吸着剤の量は、包装体内部に存在する物理吸着剤に比べて少ないものの、吸着した臭気成分は光触媒により逐次酸化分解される。
【００１５】
物理吸着剤を、光触媒と化学吸着剤とを含む生地で包んだ本発明の袋状包装体を光照射のある臭気環境に置いた場合、まず内容物の物理吸着剤が、素早く大量に臭気を吸着する。また、光触媒と化学吸着剤とを含む生地もある程度臭気を吸着する。その後、上記生地は光触媒の効果により吸着した臭気を酸化分解して臭気吸着能力が回復する。一方、内容物の物理吸着剤は、徐々に吸着した臭気を放出し、その臭気は上記生地に吸着され、逐次光触媒によって酸化分解される。こうして、内容物の物理吸着剤に吸着された臭気も減少し、吸着能力が回復することで、持続的に消臭性能を発揮することができる。
【００１６】
物理吸着剤の形態としては、粉状、粒状、ボール状、ビーズ状のいずれであってもよいが、製品からの粉落ちを防止する観点から、生地の目開きよりも大きな粒子であることが好ましい。特に、元来粒子状である珪藻土を焼成し、ボール状やビーズ状などの塊状の形態にしたものは、取り扱い性がよく好適に用いることができる。塊状のものの平均粒径としては、１ｍｍ以上、５０ｍｍ以下のものが取り扱い性の点で好ましい。
【００１７】
本発明の光触媒として、無機半導体、有機半導体を問わず、種々の光半導体を用いることができるが、無機半導体が好ましく、ＣｄＳ、ＺｎＳなどの硫化物半導体、ＴｉＯ２、ＺｎＯ、ＳｎＯ２、ＷＯ３などの酸化物半導体が好ましく、特にＴｉＯ２、ＺｎＯなどの酸化物半導体が好ましい。これらは、化学吸着剤とともに生地表面に添加するか、もしくは生地を構成する樹脂中に練り込むことにより担持させることができる。添加量は化学吸着剤と合わせて、好ましくは０．１〜２５重量％であり、より好ましくは１〜１０重量％である。光触媒の添加量は化学吸着剤１００重量部に対して、１〜１０００重量部、好ましくは１０〜７５０重量部、さらに好ましくは２０〜５００重量部である。
【００１８】
本発明の化学吸着剤として、４価金属のリン酸塩および２価金属の水酸化物または２価金属の酸化物からなる化学吸着剤など、酸やアルカリの両方に化学結合することのできる両性物質を用いることができる。合わせて、アルカリ性の臭気成分を化学吸着する、酸系の消臭成分、例えばカルボン酸基を有する脂肪酸などを用いることもできる。また酸性の臭気成分を化学吸着する、アルカリ系の消臭成分、たとえばアミン基を有する脂肪族アミンなども用いることができる。また、本発明の化学吸着剤とともに、物理吸着性能を有する材料、例えば珪藻土、粘土鉱物、活性炭、ゼオライト、シリカゲル、活性アルミナなどから選んだ物理吸着剤を合わせて配合してもよい。
【００１９】
上記の物理吸着剤を包む生地は、光触媒と化学吸着剤とを含むシート状物であれば特に制限はなく、光触媒と化学吸着剤をシート状物に塗工したものや、生地を構成する樹脂中に練り込んでシート状に成形したものも利用できる。耐久性の観点から、樹脂中に練り込んでシート状に成形したものが好ましい。
【００２０】
生地を構成する樹脂は、本発明の効果を損なわない限り、特に制限はないが、加工性の観点から、熱可塑性樹脂が好ましく、さらにコストの面から、ポリプロピレンであることがより好ましい。
【００２１】
上記の物理吸着剤を包む生地は、特に、特開平８−２８４０１１号公報に開示された、光触媒と吸着剤とを含有する消臭性繊維からなる繊維構造体を好適に用いることができる。前記繊維構造体としては、織物、編物、不織布などを用いることができ、特にコストの面からポリプロピレンからなるスパンボンド不織布が好ましい。
【００２２】
また、外部の臭気が、この生地を通って袋包装体内部の物理吸着剤に到達することを考慮して、通気性は、１５ｃｍ３／ｃｍ２／ｓｅｃ（ＪＩＳ  Ｌ  １０９６Ａ法で測定して得られる）以上であることが好ましく、より好ましくは２０ｃｍ３／ｃｍ２／ｓｅｃ以上である。さらに、内容物が脱落しないために、生地の目開きが物理吸着剤の粒子のサイズよりも小さいことが好ましく、目開き最大径が０．５ｍｍ以下であることがより好ましい。
【００２３】
さらに、本発明の袋状包装体のさらに外側に、デザイン性のある外装体を配置することもできる。外装体は、通気性が高く光を通しやすいものが好ましい。
【実施例】
【００２４】
以下、実施例により本発明を詳述するが、本発明はこれら実施例により何等限定される
ものではない。なお、実施例中の測定値は以下の方法により測定した値である。
【００２５】
（通気度）
ＪＩＳ  Ｌ  １０９６Ａ法に準拠して測定した。
【００２６】
（平均粒径）
測定する吸着剤からランダムに２０個選定し、その最大径と最小径を測定して塊の平均径を算出し、その２０個の平均値を平均粒径とした。
【００２７】
（目開き最大径）
生地を拡大鏡で観察し、貫通する孔からランダムに２０個選定し、その中で最大の穴について、その最大径を測定して目開き最大径とした。
【００２８】
（消臭性能および消臭性能の持続性の評価）
５Ｌのテドラーバッグ中に袋状包装体を設置し、そこにアンモニア１００ｐｐｍを含む空気を３Ｌ投入し、１０００ｌｘ光照射下で２４時間静置した。２４時間後に、アンモニア濃度を測定し、０．５ｐｐｍ以下であれば、内部ガスを抜き再びアンモニア１００ｐｐｍを含む空気を３Ｌ投入し、１０００ｌｘ光照射下で２４時間静置した。２４時間後静置後のアンモニア濃度が０．５ｐｐｍ以下であれば消臭性能ありと評価し、さらに消臭性能の持続性は、上記方法を繰り返して、２４時間後静置後のアンモニア濃度が０．５ｐｐｍよりも高くなるまでの回数を測定することで評価した。
【００２９】
［実施例１］
物理吸着剤として、多孔質系の消臭材料である珪藻土（（株）アイル製、万能珪藻土ホワイト、平均粒径４５ｍｍ）５０ｇを、光触媒と化学吸着剤を練り込んだポリプロピレンからなるスパンボンド不織布（クラレトレーディング（株）製、シャインアップＳＫ、目付６０ｇ／ｍ２、通気度３０ｃｍ３／ｃｍ２／ｓｅｃ、目開き最大径０．２ｍｍ）からなる１０ｃｍ×２０ｃｍの袋に封入し、袋状包装体とした。消臭性能の評価では、消臭性能があることが確認でき、消臭性能の持続性を評価した結果、１６回であった。
【００３０】
［比較例１］
実施例１において、不織布の材料を光触媒と化学吸着剤を含まないレギュラータイプのポリプロピレンからなるスパンボンド不織布（目付６０ｇ／ｍ２、通気度３０ｃｍ３／ｃｍ２／ｓｅｃ、目開き最大径０．２ｍｍ）を用いる以外は同様にして、袋状包装体を作製した。消臭性能の評価では、消臭性能があることが確認でき、消臭性能の持続性を評価した結果、９回であった。
【００３１】
実施例１より、物理吸着剤を、光触媒と化学吸着剤とを含む生地で包んだ、袋状包装体であれば、持続的な消臭性能を示した。
しかし、比較例１では、生地に光触媒と化学吸着剤を含まないため、消臭性能の持続性評価の回数が少なく、消臭性能が持続的に発揮できなかった。
【産業上の利用可能性】
【００３２】
本発明の袋状包装体は、特に家庭内での快適な環境づくりのために、家庭内の随所で用いることができる。例えば、クローゼットや押し入れ、タンスの引き出しや収納ボックス、またリビングやキッチンや洗面所、車の中にも設置することができる。また、下駄箱や、靴やブーツの中にも設置できる。持続性のある消臭性能を、物理吸着剤の持つ除湿能力とともに、快適な環境づくりに役立てることができる。
【符号の説明】
【００３３】
１：袋状包装体
１０：物理吸着剤
１１：光触媒と化学吸着剤とを含む生地
【図１】
2019208969.tif 000003
【図２】
2019208969.tif 000004